(57)【要約】【課題】本発明は、固定子の内壁に貼着されたマグネット板を、固定子の開口端面に設けた押え板で押えることにより、耐振特性を向上させることを目的とする。【解決手段】本発明によるトルカ構造は、固定子(1)の内壁に貼着されたマグネット板(12)のマグネット用端部(12a)を、固定子(1)の開口端面(4a,5a)に設けた押え板(10)の端部(10a)によって押えることにより、マグネット板(12)が固定子(1)に強固に固定され、耐振性の構造を得るようにした構成である。【選択図】図１
2007104853.tif 000002
【特許請求の範囲】
【請求項１】
一対の第１、第２テーパ部(2,3)を有し筒形をなす固定子(1)と、前記固定子(1)の内壁(1a)に設けられたマグネット板(12)と、前記固定子(1)内で所定角度往復回動し可動子用コイルを有する可動子(20)と、前記固定子(1)の一対の開口(4,5)の開口端面(4a,5a)に設けられ前記マグネット板(12)を前記各開口(4,5)側から押えるための複数の押え板(10)とを備え、
前記可動子(20)の長手方向の両端部(20A,20B)は前記各開口(4,5)から外方へ突出し、前記マグネット板(12)のマグネット用端部(12a)は前記押え板(10)の端部(10a)によって覆われていると共に、前記可動子(20)の回転中心(P)は前記固定子(1)から離れた位置に形成されていると共に、前記可動子(20)を軸支するための軸受けは設けられていない構成よりなることを特徴とするトルカ構造。
【請求項２】
前記各テーパ部(2,3)は、前記回転中心(P)に向けて先細り状に形成されていることを特徴とする請求項１記載のトルカ構造。
【請求項３】
前記押え板(10)の端部(10a)には、押え板用テーパ部(10b)が形成され、前記マグネット板(12)のマグネット用端部(12a)にはマグネット用テーパ部(12b)が形成され、前記押え板用テーパ部(10b)が前記マグネット用テーパ部(12b)に当接していることを特徴とする請求項１又は２記載のトルカ構造。
【請求項４】
前記可動子(20)の上面と下面に形成された第１可動テーパ部(21)及び第２可動テーパ部(22)は、前記往復回動時に、前記固定子(1)の前記各テーパ部(2,3)に当接しないように構成したことを特徴とする請求項１ないし３の何れかに記載のトルカ構造。
【請求項５】
前記可動子(20)は、全体形状が扇形をなすことを特徴とする請求項１ないし４の何れかに記載のトルカ構造。
【発明の詳細な説明】
【技術分野】
【０００１】
本発明は、トルカ構造に関し、特に、往復回動する可動子に対して固定子に固定されたマグネット板を押え板で固定することにより、マグネット板の剥がれや脱落を防止し、品質を向上させるための新規な改良に関する。
【背景技術】
【０００２】
従来、用いられていたこの種のトルカ構造は、社内製作のみで、特に、その構造を開示する特許文献等が存在しないため、示していないが、全体形状が箱形をなす固定子の内壁には、接着剤によってマグネット板が貼着されていた。
【発明の開示】
【発明が解決しようとする課題】
【０００３】
従来のトルカ構造は、以上のように構成されていたため、次のような課題が存在していた。
すなわち、マグネット板は接着剤のみによって固定子に貼着されていたため、振動の激しい場所で用いた場合には、マグネット板が固定子から脱落することがあり、品質上、大きい課題であった。
【課題を解決するための手段】
【０００４】
本発明によるトルカ構造は、一対の第１、第２テーパ部を有し筒形をなす固定子と、前記固定子の内壁に設けられたマグネット板と、前記固定子内で所定角度往復回動し可動子用コイルを有する可動子と、前記固定子の一対の開口の開口端面に設けられ前記マグネット板を前記各開口側から押えるための複数の押え板とを備え、前記可動子の長手方向の両端部は前記各開口から外方へ突出し、前記マグネット板のマグネット用端部は前記押え板の端部によって覆われていると共に、前記可動子の回転中心は前記固定子から離れた位置に形成されていると共に、前記可動子を軸支するための軸受けは設けられていない構成であり、また、前記各テーパ部は、前記回転中心に向けて先細り状に形成されている構成であり、また、前記押え板の端部には、押え板用テーパ部が形成され、前記マグネット板のマグネット用端部にはマグネット用テーパ部が形成され、前記押え板用テーパ部が前記マグネット用テーパ部に当接している構成であり、また、前記可動子の上面と下面に形成された第１可動テーパ部及び第２可動テーパ部は、前記往復回動時に、前記固定子の前記各テーパ部に当接しないようにした構成であり、また、前記可動子は、全体形状が扇形をなす構成である。
【発明の効果】
【０００５】
本発明によるトルカ構造は、以上のように構成されているため、次のような効果を得ることができる。
すなわち、固定子の内壁に設けたマグネット板の両端を、固定子の両端の開口の開口端面に設けられた複数の押え板によって押えることにより、マグネット板の剥がれや飛び出しを防止し、トルカの可動子の安定動作を得ることができる。
【発明を実施するための最良の形態】
【０００６】
本発明は、往復回動する可動子に対して、固定子に固定されたマグネット板を押え板で固定することにより、マグネット板の剥がれや脱落を防止し、品質を向上させるようにしたトルカ構造を提供することを目的とする。
【実施例】
【０００７】
以下、図面と共に本発明によるトルカ構造の好適な実施の形態について説明する。
図１から図４において符号１で示されるものは、全体形状が箱形をなすヨークとしての固定子であり、この固定子１の上面と下面には第１テーパ部２及び第２テーパ部３が形成され、その両端には第１開口４及び第２開口５が形成され、これらの各開口４及び５側からみると図２及び図４で示されるように長方形で構成されている。また、前記各テーパ部２，３は後述の回転中心Ｐに対して先細り状となるように構成されている。
【０００８】
前記固定子１の両端に形成された第１、第２開口４，５の各開口端面４ａ，５ａには、複数の押え板１０が取付ねじ１１によって取付けられ、前記固定子１の内壁１ａには板状のマグネット板１２が接着剤等によって貼着されている。
【０００９】
前記マグネット板１２と押え板１０とは、図５の断面図で示されるように構成されている。
すなわち、前記マグネット板１２のマグネット用端部１２ａに形成されたマグネット用テーパ部１２ｂには、前記押え板１０の端部１０ａに形成された押え板用テーパ部１０ｂが当接して接合しており、マグネット板１０のマグネット用端部１２ａが前記押え板１０の端部１０ａで覆われていることにより、マグネット板１２は各開口端面４ａ側へ飛び出さないように、かつ、固定子１の内壁１ａから剥がれることのないように構成されている。
【００１０】
前記固定子１内には、全体形状がほぼ扇形をなす可動子２０が所定の可動角±６°の範囲内において往復回動することができるように構成され、この可動子２０は固定子１に対しては軸受等の軸支部を用いることなく配設され、その回転中心Ｐは、前記固定子１の外側に設定されている。また、この可動子２０の長手方向の両端の第１、第２端部２０Ａ，２０Ｂは、この固定子１の各開口４，５から外方へ突出して構成されている。
従って、前記固定子１と可動子２０は、実際に装置（図示せず）に装着して用いる場合には、固定子１を装置の固定側に固定し、可動子２０を装置の被可動側に接続して用いるように構成されている。
【００１１】
前記可動子２０には、図示を省略しているが、励磁用の可動子用コイルが設けられており、この可動子２０の上面及び下面に形成された第１、第２可動テーパ部２１，２２は、この可動子２０が回転中心Ｐを中心として往復回動する際に、前記固定子１の第１、第２テーパ部２，３に当接しないように構成されている。
【００１２】
前述の構成において、前記可動子２０を前記装置の図示しない被可動側に接続した後、可動子２０の図示しない前記可動子用コイルに駆動信号を印加すると、前記マグネット板１２との電磁作用によって可動角±６°（他の角度も可）の往復回動が可能となり、被可動側の動作を行うことができる。
【産業上の利用可能性】
【００１３】
本発明は、扇形の可動子の両端部に必要な接続部材を設けることにより、トルカから離れた位置の部材の作動も行うことができる。
【図面の簡単な説明】
【００１４】
【図１】本発明によるトルカ構造を示す構成図である。
【図２】図１の固定子のみを示す右側面図である。
【図３】図２の右側面図である。
【図４】図３の右側面図である。
【図５】図３のＤ−Ｄ断面図である。
【符号の説明】
【００１５】
１    固定子
２    第１テーパ部
３    第２テーパ部
４    第１開口
４ａ    開口端面
５    第２開口
１０    押え板
１０ａ    端部
１０ｂ    押え板用テーパ部
１２    マグネット板
１２ａ    マグネット用端部
１２ｂ    マグネット用テーパ部
２０    可動子
２１    第１可動テーパ部
２２    第２可動テーパ部
【図１】
2007104853.tif 000003
【図２】
2007104853.tif 000004
【図３】
2007104853.tif 000005
【図４】
2007104853.tif 000006
【図５】
2007104853.tif 000007